(57)【特許請求の範囲】
【請求項１】
保持棒と、
前記保持棒の先端部に配置されるとともに互いに接した閉状態で外向きの支持面が楔状をなす二つの開閉部材と、
前記保持棒の先端部に基端部を固定されて各々その保持棒の長手方向へ延在するとともにその保持棒の長手方向と交差する方向に互いに離間して位置する二枚のガイド板と、
前記二枚のガイド板の先端部間に基端部を固定されてそのガイド板の先端部から前記保持棒の長手方向へ突出するリンク支持部材と、
前記二枚のガイド板に各々対向して位置するとともに互いに一体に結合され、前記二枚のガイド板により前記保持棒の長手方向への進退移動を案内される二枚のスライド板と、
前記各スライド板の基端部近傍に設けられ、前記保持棒の長手方向と交差する方向に互いに離間して位置する二つの基端部側枢支部と、
前記各スライド板の先端部近傍に設けられ、前記保持棒の長手方向と交差する方向に互いに離間して位置する二つの先端部側枢支部と、
前記二枚のスライド板の各々の前記基端部側枢支部によって基端部を揺動可能に支持されるとともに前記各開閉部材の基端部に先端部を揺動可能に連結されて、互いに同一の前記開閉部材に連結された二本で対をなす四本の第１リンク部材と、
前記二枚のスライド板の各々の前記先端部側枢支部によって基端部を揺動可能に枢支されるとともに前記各開閉部材の長手方向中間部に先端部を揺動可能に連結されて、互いに同一の前記開閉部材に連結された二本で対をなすとともに、互いに同一の前記開閉部材に連結された前記対をなす第１リンク部材と一緒に四節リンク機構の一部を構成する四本の第２リンク部材と、
前記各第２リンク部材の長手方向中間部と前記リンク支持部材とを連結し、前記スライド板の前進移動に伴い各第２リンク部材を前記保持棒の長手方向と概略平行な当初位置から前記保持棒の長手方向と交差する起き上がり位置へ揺動させる四本の第３リンク部材と、
前記二枚のスライド板を前記保持棒の長手方向へ進退移動させるスライド板駆動手段と、
を具え、
前記第１リンク部材と前記第２リンク部材と前記開閉部材と前記スライド板とで構成される四節リンク機構が、前記保持棒の長手方向と概略平行な当初位置から前記保持棒の長手方向と交差する起き上がり位置への前記第２リンク部材の揺動に伴って、前記二つの開閉部材の前記外向きの支持面を、前記楔状の状態から互いに平行な状態に移行させるものであることを特徴とする救助用ジャッキ。
【請求項２】
前記基端部側枢支部は、
前記各ガイド板に形成され、そのガイド板の基部近傍で前記保持棒の長手方向と交差する方向に互いに離間して位置するとともにそのガイド板の先端部へ向かうにつれて互いに接近して前記保持棒の長手方向へ延在する二本のガイド長孔と、
前記各スライド板の基端部近傍に形成され、前記保持棒の長手方向と交差する方向に互いに離間するとともに整列して延在する二本の駆動長孔と、
前記ガイド長孔と前記駆動長孔とに挿通された揺動軸と、
によって構成されていることを特徴とする、請求項１記載の救助用ジャッキ。
【請求項３】
前記スライド板駆動手段は、
前記保持棒内で前記保持棒の長手方向へ延在してその回転によりねじ機構を介して前記スライド板を進退移動させる駆動ロッドと、
前記駆動ロッドに駆動結合されたウォームホイールと、
前記ウォームホイールと噛合するウォームギヤと、
前記ウォームギヤを回転させるハンドルと、
を有していることを特徴とする、請求項１または２記載の救助用ジャッキ。
【請求項４】
前記ハンドルと前記ウォームギヤとの間に、前記スライド板の前進方向への前記ウォームギヤの回転時は前記ハンドルと前記ウォームギヤとを摩擦結合する一方それと逆方向への前記ウォームギヤの回転時は前記ハンドルと前記ウォームギヤとの間の摩擦結合を解放するワンウェイクラッチが設けられていることを特徴とする、請求項３記載の救助用ジャッキ。
【発明の詳細な説明】
【技術分野】
【０００１】
この発明は、地面や建物の床面等と倒壊物等との間あるいは倒壊物同士の間等の高重量あるいは強固な物体の間に挟まれた人を救助するための救助用ジャッキに関し、特には、狭い隙間でも容易に挿入し得る救助用ジャッキに関するものである。
【背景技術】
【０００２】
従来の人手で操作し得るジャッキとしては、例えば特許文献１記載のものが知られており、このジャッキは、台座の上方に配置したフランジの昇降を、台座上に立設した案内筒とフランジの下面に突設されて案内筒内に摺動自在に嵌挿された摺動軸とで案内するとともに、平行リンクを上下２段に配置してフランジと台座とを繋ぐトグル機構を構成し、下段の平行リンクをレバーで揺動させてフランジを昇降させるとともに、上死点を僅かに通過した位置でのレバーと台座との当接によりフランジの下降を止めるようにしている。また、フランジに貫通螺合させたネジ軸で支台を高さ変更可能に支持し、加力対象である例えば車体等と床面との隙間に高さを合わせてジャッキを挿入できるようにしている。
【先行技術文献】
【特許文献】
【０００３】
【特許文献１】実開昭６１−１１３７９３号公報
【発明の概要】
【発明が解決しようとする課題】
【０００４】
しかしながら、このような構成のジャッキを災害現場等で使用して、加力対象である地面や建物の床面等と倒壊物等との間あるいは倒壊物同士の間等の高重量あるいは強固な物体の間に挿入し、そこに挟まれた人を救助しようとする際に、ジャッキを挿入する加力対象間の隙間が小さすぎてジャッキを挿入することができず、ジャッキを使用できない場合があるという問題があった。
【課題を解決するための手段】
【０００５】
この発明は、上述の点に鑑みて従来のジャッキの課題を有利に解決するものであり、この発明の救助用ジャッキは、
保持棒と、
前記保持棒の先端部に配置されるとともに互いに接した閉状態で外向きの支持面が楔状をなす二つの開閉部材と、
前記保持棒の先端部に基端部を固定されて各々その保持棒の長手方向へ延在するとともにその保持棒の長手方向と交差する方向に互いに離間して位置する二枚のガイド板と、
前記二枚のガイド板の先端部間に基端部を固定されてそのガイド板の先端部から前記保持棒の長手方向へ突出するリンク支持部材と、
前記二枚のガイド板に各々対向して位置するとともに互いに一体に結合され、前記二枚のガイド板により前記保持棒の長手方向への進退移動を案内される二枚のスライド板と、
前記各スライド板の基端部近傍に設けられ、前記保持棒の長手方向と交差する方向に互いに離間して位置する二つの基端部側枢支部と、
前記各スライド板の先端部近傍に設けられ、前記保持棒の長手方向と交差する方向に互いに離間して位置する二つの先端部側枢支部と、
前記二枚のスライド板の各々の前記基端部側枢支部によって基端部を揺動可能に支持されるとともに前記各開閉部材の基端部に先端部を揺動可能に連結されて、互いに同一の前記開閉部材に連結された二本で対をなす四本の第１リンク部材と、
前記二枚のスライド板の各々の前記先端部側枢支部によって基端部を揺動可能に枢支されるとともに前記各開閉部材の長手方向中間部に先端部を揺動可能に連結されて、互いに同一の前記開閉部材に連結された二本で対をなすとともに、互いに同一の前記開閉部材に連結された前記対をなす第１リンク部材と一緒に四節リンク機構の一部を構成する四本の第２リンク部材と、
前記各第２リンク部材の長手方向中間部と前記リンク支持部材とを連結し、前記スライド板の前進移動に伴い各第２リンク部材を前記保持棒の長手方向と概略平行な当初位置から前記保持棒の長手方向と交差する起き上がり位置へ揺動させる四本の第３リンク部材と、
前記二枚のスライド板を前記保持棒の長手方向へ進退移動させるスライド板駆動手段と、
を具え、
前記第１リンク部材と前記第２リンク部材と前記開閉部材と前記スライド板とで構成される四節リンク機構が、前記保持棒の長手方向と概略平行な当初位置から前記保持棒の長手方向と交差する起き上がり位置への前記第２リンク部材の揺動に伴って、前記二つの開閉部材の前記外向きの支持面を、前記楔状の状態から互いに平行な状態に移行させるものであることを特徴としている。
【発明の効果】
【０００６】
この発明の救助用ジャッキにあっては、保持棒を持って、保持棒の先端部に配置されて互いに接した閉状態で外向きの支持面が先細りの楔状をなしている二つの開閉部材を加力対象間の隙間に差し込み、スライド板駆動手段でスライド板を保持棒の長手方向へ前進移動させると、そのスライド板の前進移動に伴って、第２リンク部材が保持棒の長手方向と概略平行な当初位置から保持棒の長手方向と交差する起き上がり位置へ揺動するとともに、第１リンク部材も当初位置から保持棒の長手方向と交差する起き上がり位置へ揺動し、これと併せて、第１リンク部材と第２リンク部材と開閉部材とスライド板とで構成される四節リンク機構が、二つの開閉部材の外向きの支持面を当初の楔状の状態から互いに平行な状態に移行させて、加力対象からの反力で開閉部材が隙間から押し出されるのを防止する。
【０００７】
従って、この発明の救助用ジャッキによれば、加力対象である地面や建物の床面等と倒壊物等との間あるいは倒壊物同士の間等の高重量あるいは強固な物体の間の隙間が小さくても、その隙間に開閉部材を挿入して力を加えることで隙間を広げることができ、これにより隙間に挟まれた人を救助することができる。
【０００８】
なお、この発明の救助用ジャッキにおいては、前記基端部側枢支部は、
前記各ガイド板に形成され、そのガイド板の基部近傍で前記保持棒の長手方向と交差する方向に互いに離間して位置するとともにそのガイド板の先端部へ向かうにつれて互いに接近して前記保持棒の長手方向へ延在する二本のガイド長孔と、
前記各スライド板の基端部近傍に形成され、前記保持棒の長手方向と交差する方向に互いに離間するとともに整列して延在する二本の駆動長孔と、
前記ガイド長孔と前記駆動長孔とに挿通された揺動軸と、
によって構成されていると好ましい。このようにすれば、スライド板の前進移動に伴って、二対の第１リンク部材の基端部の揺動軸がガイド板のガイド長孔に沿って前方へ移動しつつスライド板の駆動長孔内で互いに、第２リンク部材の基端部の枢支部同士の距離と同程度まで接近移動して、互いに同一の開閉部材に連結された第１リンク部材の対と第２リンク部材の対とが当初の非平行四節リンク機構状態から実質的に平行四節リンク機構状態に移行することにより、第１リンク部材と第２リンク部材と開閉部材とスライド板とで構成される四節リンク機構が、二つの開閉部材の外向きの支持面を、互いに鋭角をなす傾斜状態から互いに平行な状態に移行させるので、ガイド長孔の形状設定によって任意の段階で二つの開閉部材の外向きの支持面を、互いに鋭角をなす傾斜状態から互いに平行な状態に移行させることができる。
【０００９】
また、この発明の救助用ジャッキにおいては、前記スライド板駆動手段は、
前記保持棒内で前記保持棒の長手方向へ延在してその回転によりねじ機構を介して前記スライド板を進退移動させる駆動ロッドと、
前記駆動ロッドに駆動結合されたウォームホイールと、
前記ウォームホイールと噛合するウォームギヤと、
前記ウォームギヤを回転させるハンドルと、
を有していると好ましい。このようにすれば、スライド板駆動手段をコンパクトに構成して救助用ジャッキの持ち運びを容易なものとすることができるとともに、ウォームギヤとウォームホイールとでハンドルのトルクを増大させて駆動ロッドを回転させ、ねじ機構を介してスライド板を大きな力で前進移動させることができる。
【００１０】
さらに、この発明の救助用ジャッキにおいては、前記ハンドルと前記ウォームギヤとの間に、前記スライド板の前進方向への前記ウォームギヤの回転時は前記ハンドルと前記ウォームギヤとを摩擦結合する一方それと逆方向への前記ウォームギヤの回転時は前記ハンドルと前記ウォームギヤとの間の摩擦結合を解放するワンウェイクラッチが設けられていると好ましい。このようにすれば、ハンドルの揺動を繰り返すだけでウォームギヤを回転させてスライド板を前進移動させることができるので、ハンドルの操作が簡単になる。
【図面の簡単な説明】
【００１１】
【図１】この発明の救助用ジャッキの一実施例の全体構成を示す斜視図である。
【図２】上記実施例の救助用ジャッキの保持棒の先端部に設けられた開閉部材を閉状態で示す斜視図である。
【図３】上記実施例の救助用ジャッキの保持棒の先端部に設けられた開閉部材を支持面同士が平行になった開状態で示す斜視図である。
【図４】上記実施例の救助用ジャッキの保持棒の先端部に設けられた開閉部材を支持面同士が平行になるとともに図３に示すよりも間隔が開いた開状態で示す斜視図である。
【図５】上記実施例の救助用ジャッキの保持棒の先端部に設けられた開閉部材を支持面同士が平行になるとともに最も間隔が開いた全開状態で示す斜視図である。
【図６】上記実施例の救助用ジャッキの保持棒の基部付近に設けられてスライド板駆動手段を構成するウォームギヤ機構を拡大して示す透視図である。
【図７】上記ウォームギヤ機構とそこに組み合わされたツーウェイクラッチ機構とを簡略化して示す説明図である。
【発明を実施するための形態】
【００１２】
以下、本発明の実施の形態を実施例によって、図面に基づき詳細に説明する。ここに、図１は、この発明の救助用ジャッキの一実施例の全体構成を示す斜視図であり、図２は、上記実施例の救助用ジャッキの保持棒の先端部に設けられた開閉部材を閉状態で示す斜視図であり、図３は、上記実施例の救助用ジャッキの保持棒の先端部に設けられた開閉部材を支持面同士が平行になった開状態で示す斜視図であり、図４は、上記実施例の救助用ジャッキの保持棒の先端部に設けられた開閉部材を支持面同士が平行になるとともに図３に示すよりも間隔が開いた開状態で示す斜視図であり、そして図５は、上記実施例の救助用ジャッキの保持棒の先端部に設けられた開閉部材を支持面同士が平行になるとともに最も間隔が開いた全開状態で示す斜視図である。
【００１３】
この実施例の救助用ジャッキは、例えば金属パイプからなる保持棒１と、その保持棒１の先端部（図１では右方端部）に配置されるとともに互いに接した閉状態（図１，図２参照）で外向きの支持面２ａが楔状をなす二つの開閉部材２と、保持棒１の先端部に固設されたブラケット３に基端部を固定されて各々その保持棒１の長手方向へ延在するとともにその保持棒１の長手方向と交差する方向に互いに離間して位置する二枚のガイド板４と、各ガイド板４に形成され、そのガイド板４の基部近傍で保持棒１の長手方向と交差する方向に互いに離間して位置するとともにそのガイド板４の先端部へ向かうにつれて互いに接近して全長の大部分で互いに平行に保持棒１の長手方向へ延在する二本のガイド長孔４ａと、二枚のガイド板４の先端部間に基端部を固定されてそのガイド板４の先端部から保持棒１の長手方向へ突出するリンク支持部材５と、を具えている。
【００１４】
この実施例の救助用ジャッキはまた、二枚のガイド板４にそれらの外側から各々対向して位置するとともに二枚の連結板６を介して箱型断面状に互いに一体に結合され、二枚のガイド板４の側端部と連結板６との摺接により保持棒１の長手方向への進退移動を案内される二枚のスライド板７と、各スライド板７の基端部近傍に形成され、保持棒１の長手方向と交差する方向に互いに離間するとともに整列して延在する二本の駆動長孔７ａと、各スライド板７の先端部近傍に設けられ、保持棒１の長手方向と交差する方向に互いに離間して位置する二つの先端部側枢支部としての二本の支持孔７ｂと、を具えている。
【００１５】
この実施例の救助用ジャッキはさらに、二枚のスライド板７の各々の駆動長孔７ａとそのスライド板７が対向するガイド板４のガイド長孔４ａとに挿通された揺動軸８（図２参照）を基端部に有するとともに各開閉部材２の基端部（図２〜図５では左方端部）に先端部を揺動可能に連結されて、互いに同一の開閉部材２に連結された二本で対をなす四本の第１リンク部材９と、二枚のスライド板７の各々の支持孔７ｂによって基端部の支持軸１０ａを揺動可能に支持されるとともに各開閉部材２の長手方向中間部に先端部の連結軸１０ｂを揺動可能に連結されて、互いに同一の開閉部材２に連結された二本で対をなすとともに、互いに同一の開閉部材２に連結された対をなす第１リンク部材９と一緒に四節リンク機構の一部を構成する四本の第２リンク部材１０と、各第２リンク部材１０の長手方向中間部とリンク支持部材５とを連結し、スライド板７の前進移動に伴って各第２リンク部材１０を、図２に示す保持棒１の長手方向と概略平行な当初位置から、図３〜図５に示す保持棒１の長手方向と交差する方向へ延在する起き上がり位置へ揺動させる四本の第３リンク部材１１と、を具えており、ここで、二枚のスライド板７の各々の二本の駆動長孔７ａおよびそのスライド板７が対向するガイド板４の二本のガイド長孔４ａと、それら駆動長孔７ａおよびガイド長孔４ａの重なる位置に挿通された二本の揺動軸８とは、第１リンク部材９の基端部を揺動可能に支持する基端部側枢支部を構成する。また、互いに同一の開閉部材２に連結された第１リンク部材９および第２リンク部材１０と、その開閉部材２と、スライド板７とは、四節リンク機構を構成する。
【００１６】
そしてこの実施例の救助用ジャッキは、二枚のスライド板７を保持棒１の長手方向へ進退移動させるスライド板駆動手段としてウォームギヤ機構１２を具え、図６は、そのウォームギヤ機構を拡大して示す透視図であり、ここにおけるウォームギヤ機構１２は、保持棒１内に回転可能かつ進退移動可能に配置され、保持棒１の基端部付近に設けられたギヤボックス１３内で保持棒１内から露出するとともに先端部におねじ部１４ａを形成された駆動ロッド１４と、その駆動ロッド１４の外周面に設けられた図示しないスプラインと嵌合して駆動ロッド１４の長手方向へ移動可能に駆動ロッド１４と結合したウォームホイール１５と、ギヤボックス１３内に回転可能に支持されてウォームホイール１５と噛合するウォームギヤ１６と、を有しており、駆動ロッド１４の先端部のおねじ部１４ａは、把持棒１の先端部のブラケット３の貫通孔内のめねじ部と螺合しつつそのブラケット３を貫通し、そのおねじ部１４ａの先端部は、二枚のガイド板４の間に位置して二枚の連結板６を結合する図示しない結合部材に回転可能に連結されている。また、ウォームギヤ１６に対し回動可能に貫通する駆動軸１７の両端部は、ギヤボックス１３からそれぞれ突出して、例えば取手型のハンドル１８の基端部に結合されている。
【００１７】
図７は、上記ウォームギヤ機構１２とそこに組み合わされた後述のツーウェイクラッチ１９とを簡略化して示す説明図であり、このウォームギヤ機構１２は基本的には、ウォームギヤ１６の周囲に形成されて概略その周方向に延在する多数の歯とウォームホイール１５の周囲に形成されて概略その軸線方向へ延在する多数の歯とが噛合して、ウォームギヤ１６の回転をそれに対して軸線が直交するウォームホイール１５に伝達する。ここで、ハンドル１８に結合された駆動軸１７とウォームギヤ１６の両端部との間には、ワンウェイクラッチの一種としてのツーウェイクラッチ１９がそれぞれ設けられており、このツーウェイクラッチ１９は、ウォームギヤ１６の一端部に結合された外輪２０と、その外輪２０の内周面２０ａに対し楔状の隙間を画成する外周面２１ａを持つ駆動部材２１と、外輪２０の内周面２０ａと駆動部材２１の外周面２１ａとの間に位置する複数本のローラ２２と、それらのローラ２２をそれぞれ同じ向きの上記楔状の隙間に保持する筒状の保持器２３と、を有し、保持器２３は駆動部材２１と摩擦結合するとともに、ハンドル１８の内側に配置したここではコ字状の切替えレバー２４の基部とも摩擦結合している。
【００１８】
これにより、二枚のスライド板７を図２では右方へ前進移動させる場合には、切替えレバー２４の回動操作で保持器２３を一旦図７では時計方向へ回動させてローラ２２を駆動軸１７の回転方向後方側の楔状の隙間に位置させ、ハンドル１８を揺動させて駆動軸１７を図７中の矢印で示すように反時計方向へ回動させると、ローラ２２が外輪２０の内周面２０ａと駆動部材２１の外周面２１ａとの間の回転方向後方側の楔状の隙間に挟まって駆動軸１７の駆動力をウォームギヤ１６に伝達し、これによりウォームギヤ１６も図７中の矢印で示すように反時計方向へ回動してウォームホイール１５を回転させ、このウォームホイール１５の回転が上記スプラインを介して駆動ロッド１４を図７中の矢印で示すように回転させ、この回転で駆動ロッド１４がその先端部のおねじ部１４ａとブラケット３のめねじ部との螺合によって二枚のガイド板４の間を前進移動して、二枚のスライド板７を前進移動させる。そして、ウォームギヤ１６をさらに回動させるためにハンドル１８を元の位置に揺動させる際には、ツーウェイクラッチ１９がウォームギヤ１６を駆動軸１７から解放してハンドル１８単独での元の位置への揺動を可能にする。
【００１９】
また、二枚のスライド板７を図２では左方へ後退移動させる場合には、切替えレバー２４の回動操作で保持器２３を一旦図７では反時計方向へ回動させてローラ２２を上記と反対側の楔状の隙間に位置させ、ハンドル１８を揺動させて駆動軸１７を上記と逆に時計方向へ回動させると、ローラ２２が外輪２０の内周面２０ａと駆動部材２１の外周面２１ａとの間の回転方向後方側の楔状の隙間に挟まって駆動軸１７の駆動力をウォームギヤ１６に伝達し、これによりウォームギヤ１６も図７中の時計方向へ回動してウォームホイール１５を回転させ、このウォームホイール１５の回転が上記スプラインを介して駆動ロッド１４を上記と逆方向へ回転させ、この回転で駆動ロッド１４がその先端部のおねじ部１４ａとブラケット３のめねじ部との螺合によって二枚のガイド板４の間を後退移動して、二枚のスライド板７を後退移動させる。そして、ウォームギヤ１６をさらに回動させるためにハンドル１８を元の位置に揺動させる際には、ツーウェイクラッチ１９がウォームギヤ１６を駆動軸１７から解放してハンドル１８単独での元の位置への揺動を可能にする。
【００２０】
この実施例の救助用ジャッキはさらに、図１に示すように、例えば保持棒１の基端部と中間部とに、例えば表面に滑り止め形状を持つ樹脂製のグリップ２５を具えており、この実施例の救助用ジャッキを災害現場等で使用する際には、例えばそれらのグリップ２５を両手で掴むことで保持棒１を持って、保持棒１の先端部に配置されて互いに接した閉状態で外向きの支持面２ａが先細りの楔状をなしている二つの開閉部材２を加力対象である地面や建物の床面等と倒壊物等との間あるいは倒壊物同士の間等の高重量あるいは強固な物体の隙間に差し込み、ハンドル１８を繰り返し揺動させてウォームギヤ機構１２で駆動ロッド１４を回転させながら前進移動させることでスライド板７をガイド板４に対し保持棒１の長手方向へ前進移動させると、そのスライド板７の前進移動に伴って二対の第１リンク部材９の基端部の揺動軸８がガイド板４のガイド長孔４ａに沿って前方へ移動しつつスライド板７の駆動長孔７ａ内で互いに、第２リンク部材１０の基端部の支持軸１０ａ同士の距離と同程度まで接近移動して、互いに同一の開閉部材２に連結された第１リンク部材９の対と第２リンク部材１０の対とが当初の非平行四節リンク状態から実質的に平行四節リンク状態に移行し、これと並行して、スライド板７の前進移動に伴って第２リンク部材１０が第３リンク部材１１により保持棒１の長手方向と交差する方向へ延在する起き上がり位置へ揺動され、それと一緒に第１リンク部材９も揺動され、二つの開閉部材２が保持棒１の長手方向と交差する方向へ互いに離間して、それらの開閉部材２の支持面２ａ同士が互いに鋭角をなす状態から実質的に互いに平行状態となる開状態に移行し、加力対象からの反力で開閉部材２が隙間から押し出されるのを防止する。そして特に図５に示す二つの開閉部材２の全開状態では、各開閉部材２を支持する第１リンク部材９の対と第２リンク部材１０の対とが保持棒１の長手方向と概ね直交する方向へ延在して加力対象からの反力に耐え、加力対象を強固に支える。
【００２１】
従って、この実施例の救助用ジャッキによれば、加力対象である地面や建物の床面等と倒壊物等との間あるいは倒壊物同士の間等の高重量あるいは強固な物体の間の隙間が小さくても、その隙間に開閉部材２を挿入してハンドル１８に力を加えることで隙間を広げることができ、これにより隙間に挟まれた人を救助することができる。
【００２２】
しかも、この実施例の救助用ジャッキによれば、スライド板７の前進移動に伴って、二対の第１リンク部材９の基端部の揺動軸８がガイド板４のガイド長孔４ａに沿って前方へ移動しつつスライド板７の駆動長孔７ａ内で互いに、第２リンク部材１０の基端部の支持軸１０ａ同士の距離と同程度まで接近移動して、互いに同一の開閉部材２に連結された第１リンク部材９の対と第２リンク部材１０の対とが当初の非平行四節リンク機構状態から実質的に平行四節リンク機構状態に移行することにより、第１リンク部材９と第２リンク部材１０と開閉部材２とスライド板７とで構成される四節リンク機構が、二つの開閉部材２の外向きの支持面２ａを、互いに鋭角をなす傾斜状態から互いに平行な状態に移行させるので、ガイド長孔４ａの形状設定によって任意の段階で二つの開閉部材２の外向きの支持面２ａを、互いに鋭角をなす傾斜状態から互いに平行な状態に移行させることができ、特に図示例では、各ガイド板４の二本のガイド長孔４ａがガイド板４の基部近傍で保持棒１の長手方向と交差する方向に互いに離間して位置するとともにそのガイド板４の先端部へ向かうにつれて互いに接近して全長の大部分で互いに平行に保持棒１の長手方向へ延在するので、二つの開閉部材２の開き始めの段階で二つの開閉部材２の外向きの支持面２ａを、互いに鋭角をなす傾斜状態から互いに平行な状態に移行させ、その後は二つ支持面２ａを互いに平行な状態に維持したまま二つの開閉部材２を全開状態まで開くことができる。
【００２３】
さらに、この実施例の救助用ジャッキによれば、スライド板駆動手段として、保持棒１内で保持棒１の長手方向へ延在してその回転によりねじ機構を介してスライド板７を進退移動させる駆動ロッド１４と、駆動ロッド１４に駆動結合されたウォームホイール１５と、ウォームホイール１５と噛合するウォームギヤ１６とで構成されたウォームギヤ機構１２と、ウォームギヤ１６を回転させるハンドル１８と、を有していることから、スライド板駆動手段をコンパクトに構成して救助用ジャッキの持ち運びを容易なものとすることができ、また、ハンドル１８に加えるトルクに対して回転力を増大させて駆動ロッド１４を回転させることができるので、開閉部材２の強力な拡張力を容易に得ることができる。
【００２４】
そして、この実施例の救助用ジャッキによれば、ハンドル１８とウォームギヤ１６との間に、スライド板７の前進方向へのウォームギヤ１６の回転時にハンドル１８とウォームギヤ１６とを摩擦結合する一方それと逆方向へのウォームギヤ１６の回転時はハンドル１８とウォームギヤ１６との間の摩擦結合を解放する機能を持つツーウェイクラッチ１２が設けられていることから、ハンドル１８の揺動を繰り返すだけの簡単な操作でウォームギヤ１６を回転させてスライド板７を前進移動させることができ、しかも切替えレバー２４の切替え操作で、スライド板７の後退方向へのウォームギヤ１６の回転時にも同様の操作でウォームギヤ１６を回転させることができる。
【００２５】
以上、図示例に基づき説明したが、この発明は上述の例に限定されるものでなく特許請求の範囲の記載範囲内で適宜変更し得るものであり、例えばツーウェイクラッチ１２に代えて通常のワンウェイクラッチを用い、スライド板７の後退方向へのウォームギヤ１６の回転時にはワンウェイクラッチを解放状態にして別途のハンドルでウォームギヤ１６を連続回転させるように構成してもよい。
【００２６】
さらに、駆動ロッド１４にウォームホイール１５を固定するとともに、ブラケット３の貫通孔からめねじ部をなくし、その貫通孔内に遊挿した駆動ロッド１４の先端部のおねじ部１４ａを、二枚のスライド板７を連結する二枚の連結板６を結合する上記結合部材に設けためねじ部に螺合させて、駆動ロッド１４の回転で二枚のスライド板７を進退移動させるようにしても良く、あるいは、スライド板駆動手段として、ラック・ピニオン機構１２に代えて保持棒１の基部に設けたエアシリンダあるいは油圧シリンダで保持棒１内の駆動ロッド１４を介してスライド板７を進退移動させるようにしても良い。
【００２７】
さらに、二枚のガイド板４からガイド長孔４ａをなくすとともに、二枚のスライド板７に基端部側枢支部として駆動長孔７ａの代りに支持孔７ｂと同様の支持孔を形成し、それらの支持孔で第１リンク部材９と第２リンク部材１０との基端部の支持軸をそれぞれ揺動可能に支持するとともに、それら第１リンク部材９と第２リンク部材１０との基端部の支持孔の間隔よりも、開閉部材２に設ける第１リンク部材９と第２リンク部材１０との先端部の支持孔の間隔を異ならせ、もしくは第１リンク部材９と第２リンク部材１０との長さを異ならせ、あるいはそれら間隔の相違と長さの相違とを組み合わせて、第１リンク部材９と第２リンク部材１０と開閉部材２とスライド板７とで非平行四節リンク機構を構成することで、スライド板７の前進移動に伴って、二つの開閉部材２の外向きの支持面２ａを互いに鋭角をなす傾斜状態から互いに平行な状態に移行させるようにしても良い。
【産業上の利用可能性】
【００２８】
かくしてこの発明の救助用ジャッキによれば、加力対象である地面や建物の床面等と倒壊物等との間あるいは倒壊物同士の間等の高重量あるいは強固な物体の間の隙間が小さくても、その隙間に開閉部材を挿入して力を加えることで隙間を広げることができ、これにより隙間に挟まれた人を救助することができる。
【符号の説明】
【００２９】
１  保持棒
２  開閉部材
３  ブラケット
４  ガイド板
４ａ  ガイド長孔
５  リンク支持部材
６  連結板
７  スライド板
７ａ  駆動長孔
７ｂ  支持孔
８  揺動軸
９  第１リンク部材
１０  第２リンク部材
１０ａ  支持軸
１０ｂ  連結軸
１１  第３リンク部材
１２  ウォームギヤ機構
１３  ギヤボックス
１４  駆動ロッド
１４ａ  おねじ部
１５  ウォームホイール
１６  ウォームギヤ
１７  駆動軸
１８  ハンドル
１９  ツーウェイクラッチ
２０  外輪
２０ａ  内周面
２１  駆動部材
２１ａ  外周面
２２  ローラ
２３  保持器
２４  切替えレバー
２５  グリップ
【図１】
0006524550.tif 000002
【図２】
0006524550.tif 000003
【図３】
0006524550.tif 000004
【図４】
0006524550.tif 000005
【図５】
0006524550.tif 000006
【図６】
0006524550.tif 000007
【図７】
0006524550.tif 000008